(57)【要約】【課題】番組中で出されるアンケートの結果やクイズの答え等を携帯電話装置で送る場合に、電源不足で電話をかけられない事態を防ぐことができるテレビジョン装置を提供することを目的とする。【解決手段】液晶テレビ２で放送視聴する際には、携帯電話装置４を液晶テレビ２に接続されている充電スタンドケース６に載置さえしておけば、携帯電話装置４のＬｉイオン電池５６の状態を液晶テレビ２側で常に検知し、Ｌｉイオン電池５６の電圧が低下している場合には、液晶テレビ２側の電源である電源電池３０により自動的に充電を行うものであるから、番組中で出されるアンケートの結果やクイズの答えを携帯電話装置４で送る場合に、電源不足で電話をかけられない事態を防ぐことができる。【選択図】  図２
2004274303.tif 000002
【特許請求の範囲】
【請求項１】
放送局からの送信電波を受信し、当該受信信号から画像信号を復調して表示するテレビジョン装置であって、
テレビジョン装置本体に備えられた電源と、
テレビジョン装置本体に備えられ、携帯電話装置に備えられた２次電池の充電情報データを受信するとともに、携帯電話装置に備えられた２次電池を前記電源によって充電するための電源／信号端と、
該電源／信号端を介して受信した充電情報データに基づき、該電源／信号端を介しての携帯電話装置に備えられた２次電池の充電を制御する制御手段と
を備えていることを特徴とするテレビジョン装置。
【請求項２】
放送局からの送信電波を受信し、当該受信信号から画像信号を復調して表示するとともに、当該送信電波に含まれる番組に関する付加データの中の相手先電話番号データを抽出して携帯電話装置に送信可能なテレビジョン装置であって、
テレビジョン装置本体に備えられた電源と、
放送局からの送信電波に含まれる番組に関する付加データの中の相手先電話番号データを抽出する電話番号データ抽出手段と、
テレビジョン装置本体に備えられ、携帯電話装置に備えられた２次電池の充電情報データを受信するとともに、携帯電話装置に備えられた２次電池を前記電源によって充電するための電源／信号端と、
該電源／信号端を介して受信した充電情報データに基づき、該電源／信号端を介しての携帯電話装置に備えられた２次電池の充電を制御するとともに、前記電話番号データ抽出手段によって相手先電話番号データが抽出された場合には、該電源／信号端を介して抽出された相手先電話番号データを携帯電話装置に供給して相手先電話番号を設定させる制御手段と
を備えていることを特徴とするテレビジョン装置。
【請求項３】
前記電源／信号端と前記電源及び制御手段との間は、前記電源／信号端と前記電源との間の接続を連通／遮断し、前記電源／信号端と前記制御手段との間の接続を遮断／連通するスイッチング手段を介して接続されていることを特徴とする請求項１又は２記載のテレビジョン装置。
【請求項４】
前記電源／信号端と前記電源との間には、前記電源による充電出力に重畳された携帯電話装置に備えられた２次電池の充電情報データを分離し、前記電話番号データ抽出手段によって抽出された相手先電話番号データを前記電源による充電出力に重畳するデータ混合／分離手段が設けられている
ことを特徴とする請求項２記載のテレビジョン装置。
【発明の詳細な説明】
【０００１】
【発明の属する技術分野】
本発明は、携帯電話装置との情報送受可能なテレビジョン装置に関するものである。
【０００２】
【従来の技術】
従来、ＢＳ（Ｂｒｏａｄｃａｓｔｉｎｇ  Ｓａｔｅｌｌｉｔｅ）デジタル放送等では、放送局より送出されるテレビジョン番組の中に、視聴者が参加する番組が多くある。この種の視聴者参加番組では、番組放送自体は双方向通信ではないため、番組中で出されるアンケートの結果やクイズの答えを携帯電話装置で送る番組構成となっている。
【０００３】
しかし、従来のテレビジョン装置は、携帯電話装置との間でのデータのやり取りを行うことはできず、視聴者参加番組で、回答を行おうとした場合、番組中で提示される送り先の電話番号をメモし、携帯電話装置によりその送り先の電話番号にマニュアルで電話をかけて回答を行う。その際には、送り先の電話番号を設定するためにダイヤルボタンを幾つも操作しなければならず、送り先の電話番号を誤入力することもあり、非常に不便である。
【０００４】
また、携帯電話装置は、通常、２次電池としてＬｉイオン電池を内蔵し、このＬｉイオン電池を電源として使用（駆動）され、この電源の低下時には、専用の充電スタンドに置かれて適宜充電される構成になっている。
【０００５】
そのため、視聴者参加番組の回答の送信に携帯電話装置を利用する場合には、予め携帯電話装置の充電状態を確認し、又、番組視聴中も随時確認しておく必要があり、この確認を怠ると、回答を行うために電話をかけようとしたときにかけられない状況も予想される。
【０００６】
さらに、携帯電話装置の充電方式の中に、不使用時には携帯電話装置を充電スタンドに常時載置するようにして、使用時以外は常時充電を行う充電方式がある。しかし、この充電方式では、携帯電話装置に内蔵された２次電池が満充電状態になった後も充電が行われる虞があり、このような場合は満充電状態の高温放置に相当し、電池の劣化を起こし易い。
【０００７】
そこで、特開２００２−１２５１６７号公報には、ディジタルテレビジョン放送における表示中の映像や出力音声による放送内容に関連して付加されて画面表示されない解説情報、補完情報、又は詳細情報等といった番組に関する付加データの中、ユーザが選択した情報のみをパーソナルコンピュータや携帯電話装置等に転送して、保存又は登録することのできる機能を備えたテレビジョン受像機が例示されている。
【０００８】
また、特開２００２−２８１１５２号公報には、視聴者側から放送局が指定した特定の接続先へ確実かつ容易にデータ送信できるように、放送局から通常の放送内容に電話番号、ＦＡＸ番号、メールアドレスなどの接続先情報を付加して送信し、放送受信装置が受信した接続先情報を、近距離無線伝送等によって放送受信装置から視聴者が使用可能な携帯電話装置等の情報通信端末に転送することができる放送受信システムが例示されている。この放送受信システムによれば、視聴者は、電話番号等を手入力することなく、情報通信端末で受信した接続先情報に基づいて、放送局が指定した特定の接続先へ確実かつ容易に解答や投票等のデータ送信を電話回線が輻輳しないようにして行うことができる。
【０００９】
また、特開２００１−２９２２１５号公報には、充電ホルダーと電源ボックスを一体化せしめてコンパクト化し、携帯電話装置とともに充電ケースに収納することにより、腰部に装着して、携帯電話装置を使用しない時には充電を行い、常に安定した通話を行うことできる腰部装着型携帯電話装置用充電ケースが例示されている。
【００１０】
【特許文献１】
特開２００２−１２５１６７号公報
【特許文献２】
特開２００２−２８１１５２号公報
【特許文献３】
特開２００１−２９２２１５号公報
【００１１】
【発明が解決しようとする課題】
しかし、特開２００２−１２５１６７号公報記載のテレビジョン受像機、特開２００２−２８１１５２号公報記載の放送受信システムにおいては、予め転送先の携帯電話装置の電源を入れて受信状態にしておかなければならなかった。
【００１２】
さらに、特開２００２−２８１１５２号公報記載の放送受信システムの場合は、携帯電話装置の充電状態を、予め、又は放送視聴中に随時確認しておく必要があり、この確認を怠ると、せっかく接続先情報が携帯電話装置に転送されても、回答をするために電話が電源不足でかけられない状況も予想される。
【００１３】
ところで、テレビジョン装置の中、特にモバイルテレビジョン装置は、携帯可能な可搬構造となっているため、その受信、視聴の際に利用される電源として、消費電力の違いより、携帯電話装置の２次電池に比べ相当大きい容量の電源電池が内蔵されて使用されている。
【００１４】
そのため、モバイルテレビジョン装置に備えられた電源電池は、携帯電話装置の充電を行うには十分であるものの、モバイルテレビジョン装置側では、携帯電話装置の２次電池の状態を知る等の電源の面でのシステム化ができていないため、上述したような放送視聴中における携帯電話装置の電源不足の状況には、その対応がはかれなかった。
【００１５】
本発明は、上記問題点に鑑み、番組中で出されるアンケートの結果やクイズの答え等を携帯電話装置で送る場合に、電源不足で電話をかけられない事態を防ぐことができるテレビジョン装置、特にモバイルテレビジョン装置を提供することを目的とする。
【００１６】
さらに、本発明は、上記問題点に鑑み、放送局からの送信電波に含まれる番組に関する付加データとして、視聴者参加番組におけるアンケートの結果等の送り先電話番号情報を受信した場合に、携帯電話装置に送り先電話番号を自動的に設定し、直ちに携帯電話装置を電話可能な待機状態にすることができるテレビジョン装置、特にモバイルテレビジョン装置を提供することを目的とする。
【００１７】
【課題を解決するための手段】
上記目的を達成するために、本発明のテレビジョン装置は、放送局からの送信電波を受信し、当該受信信号から画像信号を復調して表示するテレビジョン装置であって、テレビジョン装置本体に備えられた電源と、テレビジョン装置本体に備えられ、携帯電話装置に備えられた２次電池の充電情報データを受信するとともに、携帯電話装置に備えられた２次電池を前記電源によって充電するための電源／信号端と、該電源／信号端を介して受信した充電情報データに基づき、該電源／信号端を介しての携帯電話装置に備えられた２次電池の充電を制御する制御手段とを備えていることを特徴とする。
【００１８】
本発明のテレビジョン装置は、放送局からの送信電波を受信し、当該受信信号から画像信号を復調して表示するとともに、当該送信電波に含まれる番組に関する付加データの中の相手先電話番号データを抽出して携帯電話装置に送信可能なテレビジョン装置であって、テレビジョン装置本体に備えられた電源と、放送局からの送信電波に含まれる番組に関する付加データの中の相手先電話番号データを抽出する電話番号データ抽出手段と、テレビジョン装置本体に備えられ、携帯電話装置に備えられた２次電池の充電情報データを受信するとともに、携帯電話装置に備えられた２次電池を前記電源によって充電するための電源／信号端と、該電源／信号端を介して受信した充電情報データに基づき、該電源／信号端を介しての携帯電話装置に備えられた２次電池の充電を制御するとともに、前記電話番号データ抽出手段によって相手先電話番号データが抽出された場合には、該電源／信号端を介して抽出された相手先電話番号データを携帯電話装置に供給して相手先電話番号を設定させる制御手段とを備えていることを特徴とする。
【００１９】
【発明の実施の形態】
以下、添付図面を参照しながら、本発明の好適な実施の形態について詳細に説明する。
【００２０】
図１は、本実施の形態のモバイルテレビジョン装置を利用したモバイルテレビジョン装置システムの外観構成図である。
図１において、モバイルテレビジョン装置システム１は、モバイルテレビジョン装置としての液晶テレビ２と携帯電話装置４とを、電源／信号配線８を介して接続して構成される。
【００２１】
液晶テレビ２は、その本体３に番組視聴用のＬＣＤ表示器２８や、図示省略した電源スイッチ，選局スイッチ等といった操作スイッチを備えている。さらに、本実施の形態の場合は、液晶テレビ２は、電源／信号端２７を備え、電源／信号配線８の一方端が接続可能な構成になっている。電源／信号配線８の他方端は、携帯電話装置４の充電スタンドケース６に備えられた電源／信号端６１に接続可能な構成となっている。
【００２２】
図２は、本実施の形態の液晶テレビを利用したモバイルテレビジョン装置、並びにモバイルテレビジョン装置システムの制御ブロック図である。
液晶テレビ２は、アンテナ２１と、受像／映像信号処理回路２２と、電話番号データ抽出回路２３と、マイコン２４と、データフォーマット変換回路２５と、スイッチ回路２６と、電源／信号出力端２７と、ＬＣＤ表示器２８と、メモリ２９と、電源電池３０とを備えて構成されている。
【００２３】
受像／映像信号処理回路２２は、操作スイッチの操作入力に基づき、所望の放送番組の映像音声信号を、アンテナ２１を介して受信する。受像／映像信号処理回路２２は、この受信した映像音声信号から映像信号を抽出してＬＣＤ表示器２８に表示するとともに、音声信号を抽出して図示せぬスピーカから発声させる。
【００２４】
本実施の形態では、この受像／映像信号処理回路２２には、電話番号データ抽出回路２３が接続され、電話番号データ抽出回路２３にも抽出した映像信号が供給される構成になっている。
【００２５】
電話番号データ抽出回路２３は、例えば、受像／映像信号処理回路２２によって抽出された映像信号の垂直ブランキング期間に含まれている番組に関する付加データの中、相手先電話番号データＤａを抽出し、これをＣＰＵ等によって構成されたマイコン２４に供給する。
【００２６】
マイコン２４は、相手先電話番号データＤａが電話番号データ抽出回路２３によって抽出されて供給されると、後述のスイッチ回路２６を作動制御するとともに、相手先電話番号データＤａをデータフォーマット変換回路２５に供給する。
メモリ２９には、充電処理のためのプログラムやデータが格納されている。
【００２７】
データフォーマット変換回路２５は、この相手先電話番号データＤａを後述する携帯電話装置４へ送信するフォーマットの相手先電話番号データＤａ’に変換し、スイッチ回路２６に供給する。また、データフォーマット変換回路２５は、スイッチ回路２６から携帯電話装置４から上述した送信フォーマットの充電情報データＤｂ’を受信した場合には、前述したマイコン２４が処理可能なフォーマットの充電情報データＤｂに逆変換してマイコン２４に供給する。
【００２８】
スイッチ回路２６は、マイコン２４からの制御信号に基づき、電源／信号端２７を、データフォーマット変換回路２５又は電源電池３０のいずれかに対して接続する。なお、この電源電池３０は、携帯電話装置４の２次電池に比し、相当大きいの容量の２次電池（例えば、ニッケル水素電池等）によって構成されている。
【００２９】
本実施の形態においては、スイッチ回路２６は、電源電池３０から後述する携帯電話装置４のＬｉイオン電池５６に充電中でない場合には、電源／信号端２７をデータフォーマット変換回路２５に対して接続した状態になっている。
【００３０】
一方、携帯電話装置４は、その本体５に、マイク４１，スピーカ４２，通話ボタン４３及びキーボード４４を備えた操作部，ＬＣＤ表示器４５，及び電源／信号端４６を備えている。電源／信号端４６は、充電スタンドケース６に本体５が位置決め載置された状態で、充電スタンドケース６に備えられた前述の電源／信号端６１と接続されている電源／信号端６２に当接可能な構成となっている。
【００３１】
携帯電話装置４は、アンテナ４７と、受信処理回路４８と、送信処理回路４９と、音声信号／制御処理回路５０と、ＣＰＵ５１と、充電制御回路５２と、データフォーマット変換回路５３と、データ混合／分離回路５４と、メモリ５５と、駆動電源としての２次電池のＬｉイオン電池５６とを備えて構成されている。
【００３２】
受信処理回路４８は、アンテナ４７を介して無線信号の受信を行い、受信した無線信号から受信データを復調し、音声信号／制御処理回路５０に供給する。
送信処理回路４９は、音声信号／制御処理回路５０から供給される送信データを無線信号に変調し、アンテナ４７を介して送信する。
【００３３】
音声信号／制御処理回路５０は、受信処理回路４８から供給される受信データに基づき待ち受け／着呼処理を行い、着呼時における通話ボタン４３の操作に基づき着呼応答処理を行うとともに、通話ボタン４３及びキーボード４４を備えた操作部の操作に基づく発呼処理を行う。
【００３４】
また、音声信号／制御処理回路５０は、この着呼又は発呼による回線接続後は、受信処理回路４８により復調される受信データに基づく音声信号をスピーカ４２から音声出力したり、受信処理回路４８により復調された受信データに基づく情報信号をＬＣＤ表示器４５に表示出力したり等するとともに、マイク４１から入力された音声信号やキーボード４４から入力される情報信号に基づく送信データを生成し、送信処理回路４９に供給する。
【００３５】
データフォーマット変換回路５３は、データ混合／分離回路５４によって取り出された相手先電話番号データＤａ’を、携帯電話装置４内で使われるフォーマットのデータＤａ”に変換し、ＣＰＵ５１に供給する。また、データフォーマット変換回路５３は、後述のＣＰＵ５１から供給される当該携帯電話装置４の充電情報データＤｂ”を、液晶テレビ２へ送信するフォーマットの充電情報データＤｂ’に変換し、データ混合／分離回路５４に供給する。
【００３６】
データ混合／分離回路５４は、電源／信号端４６に供給される外部入力から相手先電話番号データＤａ’を分離して取り出し、データフォーマット変換回路５３に供給する。また、データ混合／分離回路５４は、後述のＣＰＵ５１からデータフォーマット変換回路５３を介して供給される、当該携帯電話装置４の充電情報データＤｂ’を、電源／信号端４６に供給される外部入力に混合し、この混合した電源／信号端４６から外部に対して供給する。
【００３７】
ＣＰＵ５１は、データフォーマット変換回路５３からのフォーマット変換された相手先電話番号データＤａ”に基づき、音声信号／制御処理回路５０に、操作部のキーボード４４による設定操作に代えて、相手先電話番号データＤａ”による電話番号の設定を行い、操作部にある通話ボタン４３を押すことで、即相手先電話番号に電話をかけられる待機状態（すなわち、発呼実行待機状態）に設定する。
【００３８】
また、ＣＰＵ５１は、充電制御回路５２を介して、駆動電源としての２次電池のＬｉイオン電池５６に関する電圧状態データ（充電状態データ）を取り込み、当該携帯電話装置４の充電情報データＤｂ”を生成し、データフォーマット変換回路５３に供給する。
【００３９】
充電制御回路５２は、このＬｉイオン電池５６と電源／信号端４６との間に介在し、Ｌｉイオン電池５６の電圧を監視して電圧状態データをＣＰＵ５１に供給するとともに、電源／信号端４６側の電圧値に基づき、Ｌｉイオン電池５６と電源／信号端４６との間の接続／遮断を行う。
【００４０】
メモリ５５は、例えば、液晶テレビ２から供給された相手先電話番号データＤａ”等のデータを、必要に応じて記憶する。
上述したように構成された本実施の形態の液晶テレビ２を利用したモバイルテレビジョン装置システム１の作用について説明する。
【００４１】
＜携帯電話装置４の充電＞
液晶テレビ２は、その電源／信号端２７に電源／信号配線８を介して接続された充電スタンドケース６に携帯電話装置４が載置され、携帯電話装置４のＬｉイオン電池５６へ電源電池３０から充電中でない場合は、スイッチ回路２６は、マイコン２４からの制御信号によって、その電源／信号端２７はデータフォーマット変換回路２５に接続された状態になっている。
【００４２】
本実施の形態では、液晶テレビ２は、電源／信号端２７に電源／信号配線８を介して接続された充電スタンドケース６に、携帯電話装置４が載置されていない初期状態も、その電源／信号端２７は、スイッチ回路２６により、データフォーマット変換回路２５に接続された状態になっている。そのため、液晶テレビ２による放送視聴中に、充電スタンドケース６に携帯電話装置４が載置された当初状態も、その電源／信号端２７は、スイッチ回路２６により、データフォーマット変換回路２５に接続された状態になっている。
【００４３】
したがって、この充電スタンドケース６に携帯電話装置４が載置された当初状態では、液晶テレビ２は、携帯電話装置４の充電情報データＤｂ’を取り込み可能になっている。
【００４４】
このため、携帯電話装置４のＣＰＵ５１から、データフォーマット変換回路５３，データ混合／分離回路５４を介して電源／信号端４６から外部出力される充電情報データＤｂ’は、充電スタンドケース６及び電源／信号配線８を介して、液晶テレビ２の電源／信号端２７に供給され、前述した状態にあるスイッチ回路２６によって、データフォーマット変換回路２５を介してマイコン２４に供給されることになる。
【００４５】
そして、液晶テレビ２のマイコン２４は、供給された充電情報データＤｂに基づき、携帯電話装置４の駆動電源としてのＬｉイオン電池５６が電圧低下状態にあるか否かを判別し、電圧低下状態にある場合には、制御信号をスイッチ回路２６に出力して、スイッチ回路２６の接続状態をデータフォーマット変換回路２５から、例えば電圧低下状態に応じた所定時間だけ、電源電池３０への接続状態に切り換えて、電源／信号端２７を電源電池３０に接続する。
【００４６】
これにより、液晶テレビ２の電源電池３０からこのスイッチ回路２６を介して、電源電池３０の電圧が電源／信号端２７に供給されることになる。この電源電池３０の電圧は、電源／信号配線８及び充電スタンドケース６を介して、携帯電話装置４の電源／信号端４６に供給される。
【００４７】
携帯電話装置４は、電源／信号端４６から液晶テレビ２の電源電池３０の電圧が充電制御回路５２に供給されるようになると、充電制御回路５２は、電源／信号端４６とＬｉイオン電池５６との間を接続し、液晶テレビ２の電源電池３０の電圧に基づく充電電流をＬｉイオン電池５６に供給する。
【００４８】
そして、この充電の間も、携帯電話装置４のＣＰＵ５１は、定期的にＬｉイオン電池５６に関する電圧状態データ（充電状態データ）を取り込み、当該携帯電話装置４の充電情報データＤｂ”を生成し、データフォーマット変換回路５３により液晶テレビ２へ送信するフォーマットの充電情報データＤｂ’に変換した後、この充電情報データＤｂ’をデータ混合／分離回路５４により電源／信号端４６に供給される外部入力に混合する。
【００４９】
一方、液晶テレビ２のマイコン２４は、前述した電圧低下状態に応じた所定時間が経過すると、スイッチ回路２６に制御信号を供給する。これにより、スイッチ回路２６は、一旦、電源電池３０と電源／信号端２７との接続状態を切り離した後、電源／信号端２７との接続をデータフォーマット変換回路２５側に切り換え、携帯電話装置４からの充電情報データＤｂ’を取り込み可能な状態に戻す。
【００５０】
この液晶テレビ２側で、スイッチ回路２６によって電源電池３０と電源／信号端２７との接続状態を切り離された際には、携帯電話装置４の電源／信号端４６には液晶テレビ２側の電源電池３０の電圧は供給されなくなるので、携帯電話装置４の充電制御回路５２は、その電源／信号端４６側の電圧の低下に基づき、Ｌｉイオン電池５６と電源／信号端４６との接続を切り離す。これによって、上述した液晶テレビ２側で、電源／信号端２７に対する接続が電源電池３０からデータフォーマット変換回路２５に切り換わった際には、逆に携帯電話装置４のＬｉイオン電池５６から液晶テレビ２のデータフォーマット変換回路２５側に電流が逆流しない構成となっている。
【００５１】
そして、液晶テレビ２のマイコン２４は、再び、携帯電話装置４からその後に供給される充電情報データＤｂに基づき、携帯電話装置４の駆動電源としてのＬｉイオン電池５６が電圧低下状態にあるか否かを判別し、電圧低下状態にある場合には、上述した如くの充電処理を繰り返して行う。これに対し、液晶テレビ２のマイコン２４は、携帯電話装置４のＬｉイオン電池５６の電圧が満充電手前の所定値（例えば、満充電の電圧値に対する８０％の値）になっている場合には、この一連の携帯電話装置４のＬｉイオン電池５６に対する充電作業を終了する。
【００５２】
以上によれば、液晶テレビ２で放送視聴する際には、携帯電話装置４を液晶テレビ２に接続されている充電スタンドケース６に載置さえしておけば、携帯電話装置４のＬｉイオン電池５６の状態を液晶テレビ２側で常に検知し、Ｌｉイオン電池５６の電圧が低下している場合には、液晶テレビ２側の電源である電源電池３０により自動的に充電を行うものであるから、番組中で出されるアンケートの結果やクイズの答えを携帯電話装置４で送る場合に、電源不足で電話をかけられない事態を防ぐことができる。
【００５３】
また、携帯電話装置４を液晶テレビ２に接続されている充電スタンドケース６に載置し続けても、携帯電話装置４のＬｉイオン電池５６の状態を液晶テレビ２側で常に検知し、充電を満充電の手前（例えば８０％）で停止するよう制御するから、携帯電話装置４に内蔵されたＬｉイオン電池５６の寿命を短縮してしまうこともない。
【００５４】
＜液晶テレビ２から携帯電話装置４への番組に関する付加データに含まれる相手先電話番号データＤａの送信＞
一方、液晶テレビ２は、番組視聴中、その映像信号の垂直ブランキング期間に、当該番組に関する付加データとして相手先電話番号データＤａが含まれている場合には、電話番号データ抽出回路２３が、この映像信号の垂直ブランキング期間に含まれている番組に関する付加データの中の相手先電話番号データＤａを抽出し、マイコン２４に供給する。
【００５５】
これにより、マイコン２４は、抽出した相手先電話番号データＤａをデータフォーマット変換回路２５に供給し、データフォーマット変換回路２５は、この相手先電話番号データＤａを携帯電話装置４へ送信するフォーマットの相手先電話番号データＤａ’に変換した上で、スイッチ回路２６に供給する。
【００５６】
その際、携帯電話装置４のＬｉイオン電池５６へ液晶テレビ２の電源電池３０から充電中でない場合は、データフォーマット変換回路２５は電源／信号出力端２７に対して接続された状態になっているため、データフォーマット変換回路２５によってフォーマット変換された相手先電話番号データＤａ’は電源／信号端２７に供給される。
【００５７】
また、スイッチ回路２６が電源電池３０を電源／信号出力端２７に対して接続した状態の携帯電話装置４への充電中であっても、マイコン２４は、制御信号をスイッチ回路２６に出力して、電源電池３０の電源／信号出力端２７に対する接続を切り離し、代わりにデータフォーマット変換回路２５を電源／信号出力端２７に対して接続する。これにより、携帯電話装置４への充電は一旦停止され、携帯電話装置４へ相手先電話番号データＤａ’を供給可能な状態になる。
【００５８】
この状態において、データフォーマット変換回路２５によって変換された相手先電話番号データＤａ’は、電源／信号出力端２７から、電源／信号配線８及び充電スタンドケース６を介して、携帯電話装置４の電源／信号端４６に供給される。
【００５９】
そして、携帯電話装置４の電源／信号端４６に供給された相手先電話番号データＤａ’は、データ混合／分離回路５４によって分離され、データフォーマット変換回路５３によってＣＰＵ５１が処理可能なフォーマットの相手先電話番号データＤａ”に逆変換された後、ＣＰＵ５１に供給される。
【００６０】
ＣＰＵ５１は、この相手先電話番号データＤａ”に基づいて、音声信号／制御処理回路５０に、相手先電話番号データＤａ”による電話番号の設定を行い、操作部にある通話ボタン４３を押すことで、即相手先電話番号に電話をかけられる待機状態（発呼実行待機状態）に設定する。
【００６１】
その後、携帯電話装置４のＣＰＵ５１は、再び、定期的にＬｉイオン電池５６に関する電圧状態データ（充電状態データ）を取り込み、当該携帯電話装置４の充電情報データＤｂ”を生成し、データフォーマット変換回路５３及びデータ混合／分離回路５４を介して、フォーマット変換された充電情報データＤｂ’を外部入力に混合して電源／信号端４６に供給する。
これにより、液晶テレビ２側では、この充電情報データＤｂ’に基づいて携帯電話装置４のＬｉイオン電池５６に対する充電作業が再開されることになる。
【００６２】
したがって、液晶テレビ２による番組視聴中に、アンケートの結果や、クイズの答えを携帯電話装置４で送る機会が生じても、液晶テレビ２側で、放送局より送られてくる当該番組の送信電波（本実施の形態の場合は、映像信号の垂直ブランキング期間）に含まれる付加データの相手先電話番号データＤａを分離判別し、携帯電話装置４を、その通話ボタン４３を押せばこの相手先電話番号に直ちに電話をかけられる待機状態（発呼実行待機状態）にするので、液晶テレビ２のＬＣＤ表示器２８に映っている相手先電話番号のメモをとる必要もなく、相手先番号を誤ることも無いので、利便性が非常に向上する。
【００６３】
また、本実施の形態の液晶テレビ２を利用したモバイルテレビジョン装置システム１においては、液晶テレビ２と充電スタンドケース６との間に設けられた電源／信号配線８は、同一のライン（すなわち、ワイヤー）が、携帯電話装置４充電のための電源供給と、携帯電話装置４と液晶テレビ２との間のデータの送受とに利用される。
【００６４】
なお、そのデータの送受のために、液晶テレビ２のデータフォーマット変換回路２５、及び携帯電話装置４のデータフォーマット変換回路５３によって変換される送信用のデータのフォーマットについては、独自に決めても良いし、例えばＲＳ２３２Ｃ等の既製のフォーマットを使ってもよい。例えば、ＲＳ２３２Ｃのフォーマットを使用した場合、ＲＳ２３２Ｃのフォーマットで、携帯電話装置４に内蔵されたＬｉイオン電池の残存容量データが充電情報データＤｂ’として携帯電話装置４から液晶テレビ２に供給されることとなり、視聴中の番組の放送局からの送信電波から抽出された相手先電話番号が相手先電話番号データＤａ’として液晶テレビ２から携帯電話装置４に供給されることとなる。
【００６５】
以上説明したように、本実施の形態のモバイルテレビジョン装置、及びモバイルテレビジョン装置を使用したモバイルテレビジョン装置システムは構成されるが、本発明のテレビジョン装置、及びテレビジョン装置を使用したモバイルテレビジョン装置システムでは、種々の変形が可能である。
【００６６】
例えば、上記実施の形態では、テレビジョン装置である液晶テレビ２には、スイッチ回路２６を設けて、充電情報データＤｂ’及び相手先電話番号データＤａ’を、携帯電話装置４への充電電圧／電流と分離して電源／信号配線８に載せ、これらデータＤｂ’，Ｄａ’の送受信時には電源電池３０からの電源供給を切り離す構成としたが、電源電池３０から供給される充電電圧／電流に、相手先電話番号データを重畳して送受信する構成としてもよい。なお、この場合は、液晶テレビ２においては、スイッチ回路２６に代えて、データ混合／分離回路を設けることになる。
【００６７】
また、液晶テレビ２のマイコン２４は、携帯電話装置４から定期的に液晶テレビ２に送信されてくる充電情報データＤｂ’を取り込む構成としたが、液晶テレビ２側から必要なときに携帯電話装置４に相手先電話番号データの送信要求を出し、この送信要求に基づき送られてくる充電情報データＤｂ’を取り込む構成としてもよい。
【００６８】
また、液晶テレビ２の電話番号データ抽出回路２３は、映像信号の垂直ブランキング期間に含まれている番組に関する付加データの中の相手先電話番号データＤａを抽出する構成としたが、この抽出構成に限ることはない。
【００６９】
また、上記実施の形態では、液晶テレビ２の本体３と、電源／信号配線８を介して接続された充電スタンドケース６とは別体に構成したが、充電スタンドケース６は液晶テレビ２の本体３に一体的に構成してもよい。
【００７０】
また、上記実施の形態では、液晶テレビ２の充電電池３０から携帯電話装置４に充電電圧／電流を供給する構成としたが、商用電源から液晶テレビ２に設けられた電源回路を介して供給する構成としてもよい。
【００７１】
また、上記実施の形態では、液晶テレビ２は相手先電話番号を携帯電話装置４の音声信号／制御処理回路５０に設定し、その通話ボタン４３を押せばこの相手先電話番号に直ちに電話をかけられる待機状態（発呼実行待機状態）にする構成としたが、携帯電話装置４の状況によっては、その相手先電話番号データを携帯電話装置４内のメモリ５５に一旦記憶し、その後相手先電話番号に直ぐに電話がかけられる状態に設定することも可能である。
なお、本発明は上記実施の形態に限定されるものではなく、例えば、テレビジョン装置も液晶テレビ２に限定されるものではない。
【００７２】
【発明の効果】
以上のように、本発明によれば、視聴者参加番組で、視聴者が携帯電話で参加するための相手先電話番号を、画面等よりメモし、携帯電話装置のキーをいくつも押して設定する煩わしさが無く、相手先電話番号が電話番号の誤り無く自動的に携帯電話装置に設定されるために非常に便利であり、番組と一体感をもって楽しめる。
【００７３】
また、本発明によれば、携帯電話装置に内蔵された２次電池は、常にテレビジョン装置側で充電状態が把握されており、その充電状態に応じてテレビジョン装置から充電が行われるので、携帯電話装置は、テレビジョン装置の視聴中、常に十分使用できる状態に保たれていることなり、視聴者参加番組で、視聴者が携帯電話で参加する際に、携帯電話装置の電源不足を気にせずに、安心して携帯電話装置で視聴者参加番組に参加できる。
【００７４】
さらに、このテレビジョン装置による携帯電話装置の２次電池に対する充電処理も、放電が進んでいる場合には追加充電し、満充電に近い状態のときは追加充電をしない等、テレビジョン装置側で自動的に制御するので、過放電状態になって使えない状態になるのを防ぎ、満充電状態での放置による電池寿命の劣化を防ぐことができる。
【図面の簡単な説明】
【図１】本実施の形態のモバイルテレビジョン装置を利用したモバイルテレビジョン装置システムの外観構成図である。
【図２】本実施の形態の液晶テレビを利用したモバイルテレビジョン装置、並びにモバイルテレビジョン装置システムの制御ブロック図である。
【符号の説明】
１  モバイルテレビジョン装置システム
２  液晶テレビ
３  本体
４  携帯電話
５  本体
６  充電スタンドケース
８  電源／信号配線
２１  アンテナ
２２  受像／映像信号処理回路
２３  電話番号データ抽出回路
２４  マイコン
２５  データフォーマット変換回路
２６  スイッチ回路
２７  電源／信号端
２８  ＬＣＤ表示器
２９  メモリ
３０  電源電池
４１  マイク
４２  スピーカ
４３  通話ボタン
４４  キーボード
４５  ＬＣＤ表示器
４６  電源／信号端
４７  アンテナ
４８  受信処理回路
４９  送信処理回路
５０  音声信号／制御処理回路
５１  ＣＰＵ
５２  充電制御回路
５３  データフォーマット変換回路
５４  データ混合／分離回路
５５  メモリ
５６  Ｌｉイオン電池
６１  電源／信号端
６２  電源／信号端
【図１】
2004274303.tif 000003
【図２】
2004274303.tif 000004